(57)【要約】【課題】表示対象の部分毎に例えばその秘匿度に対応して設定されている表示維持時間の長短に応じて当該部分表示対象毎の表示維持時間をきめ細かく制御することが可能な情報表示装置を提供することにある。【解決手段】メモリ性を備える表示媒体を用いて表示を行う表示部１０６を備える表示装置Ｄにおいて、複数のページから構成されているコンテンツであって、表示部１０６における表示が次に表示すべきページに切り換えられるまでの表示維持時間が他のページに対して短く設定されたページを含むコンテンツを記憶するフラッシュＲＯＭ１０３と、記憶されたコンテンツを表示部１０６に表示させる際に、設定された表示維持時間に対応して、表示維持時間が短く設定されたページの表示維持時間が、他のページの表示維持時間よりも短くなるように制御するＣＰＵと、を備える。【選択図】図１
2010237618.tif 000002
【特許請求の範囲】
【請求項１】
電源電力の供給が停止した以降でも当該停止時における表示情報の表示が維持される表示媒体を用いて当該表示情報を表示する表示手段を備える情報表示装置において、
複数の部分表示情報から構成されている前記表示情報であって、前記表示手段における表示が次に表示すべき他の前記部分表示情報に切り換えられるまで、又は当該表示が前記表示手段から消去されるまで、のいずれか一方の時間である表示維持時間が他の前記部分表示情報に対して短く設定された前記部分表示情報を含む前記表示情報を記憶する記憶手段と、
前記記憶手段に記憶された前記表示情報を前記表示手段に表示させる際に、前記設定された表示維持時間に対応して、当該表示維持時間が短く設定された前記部分表示情報の当該表示維持時間が、前記他の部分表示情報の当該表示維持時間よりも短くなるように制御する表示制御を行う制御手段と、
を備えたことを特徴とする情報表示装置。
【請求項２】
請求項１に記載の情報表示装置において、
各前記部分表示情報に夫々対応する前記表示維持時間が、予め設定された秘匿度が高いほど短く設定されていることを特徴とする情報表示装置。
【請求項３】
請求項２に記載の情報表示装置において、
前記制御手段は、前記表示制御において一の前記部分表示情報に対する当該表示制御を終了させるとき、当該一の部分表示情報よりも前記秘匿度が低い他の前記部分表示情報に前記表示手段における表示を切り換えて、当該一の部分表示情報の表示を終了させることを特徴とする情報表示装置。
【請求項４】
請求項３に記載の情報表示装置において、
前記制御手段は、前記表示情報を構成する各前記部分表示情報の表示順において前記一の部分表示情報の前又は後のいずれか一方に表示されるべき前記部分表示情報を前記他の部分表示情報として、前記一の部分表示情報の表示を終了させることを特徴とする情報表示装置。
【請求項５】
請求項１から４のいずれか一項に記載の情報表示装置において、
当該情報表示装置における前記電源電力が予め設定された閾値未満となったか否かを検出する検出手段を更に備え、
前記制御手段は、前記検出手段により前記電源電力が前記閾値未満と検出されたタイミングから前記表示制御を開始することを特徴とする情報表示装置。
【請求項６】
請求項１から５のいずれか一項に記載の前記情報表示装置と、
前記情報表示装置と接続された情報処理装置であって、外部から取得した前記表示情報を当該情報表示装置に伝送して前記表示制御に供させる伝送手段を備える情報処理装置と、
を備えることを特徴とする情報表示システム。
【請求項７】
請求項２から５のいずれか一項に記載の前記情報表示装置と、
前記情報表示装置と接続された情報処理装置であって、
外部から取得した前記表示情報を構成する各前記部分表示情報毎に前記秘匿度を設定する秘匿度設定手段と、
前記設定された秘匿度を示す秘匿度情報を前記表示情報と共に前記情報表示装置に伝送する伝送手段と、
を備える情報処理装置と、
を含むことを特徴とする情報表示システム。
【請求項８】
請求項６又は７に記載の情報表示システムに含まれる前記情報処理装置であって、前記伝送手段を少なくとも備えることを特徴とする情報処理装置。
【発明の詳細な説明】
【技術分野】
【０００１】
本発明は、情報表示装置及び情報処理装置並びに情報表示システムの技術分野に属する。より詳細には、相互に接続されて情報表示システムを構成する情報表示装置及び情報処理装置並びに当該情報表示システムの技術分野に属する。
【背景技術】
【０００２】
近年、電気泳動方式を用いた表示装置が開発されている。この電気泳動方式を用いた表示装置は、一旦切り換えられた（書き換えられた）表示を維持するために電力を必要としないと言う特長を備えている。よってこのことから、極めて省電力性に富んだ装置であり、例えば携帯型の情報処理装置における表示部として用いられている。また当該表示装置は、パーソナルコンピュータ等の情報処理装置から出力されて来る情報を手元で表示するために用いられることもある。
【０００３】
一方、当該表示装置は、上述したように電力を供給せずともその表示内容が表示され続けるため、秘匿性を有する文書等の表示に際しては取り扱いに注意を要する。具体的に例えば、秘匿性を有する文書等を表示した後に電源スイッチをオフとする操作をしたことにより、その表示までが消失したものと勘違いをしてそのまま放置した場合等においては、その秘匿性を有する文書等を第三者に容易に見られてしまう。
【０００４】
そこで、この問題点を解決すべく、例えば下記特許文献１に開示されている技術が考案されている。この特許文献１では、秘匿性を有するとされている画像等については、直ちにその表示自体を能動的に消去する構成とされている。
【先行技術文献】
【特許文献】
【０００５】
【特許文献１】特開２００７−１２１６７６公報（第５図、第６図等）
【発明の概要】
【発明が解決しようとする課題】
【０００６】
しかしながら、上述した特許文献１に開示されている従来技術の構成では、表示対象におけるその秘匿性の有／無に応じて、画一的にその表示対象の消去／表示継続を決定するものとされており、この構成では、表示対象の属性や秘匿度の高低に応じたきめの細かい表示制御ができないという問題点があった。このことは、上記電気泳動方式を用いた表示装置の用途を想定するとき、その自由度の欠如に繋がるものである。
【０００７】
そこで、本発明は上記の問題点等に鑑みて為されたもので、その目的の一例は、表示対象の部分毎に例えばその秘匿度に対応して予め設定されている表示維持時間の長短に応じて当該部分表示対象毎の表示維持時間をきめ細かく制御することが可能な情報表示装置及び情報処理装置並びに情報表示システムを提供することにある。
【課題を解決するための手段】
【０００８】
上記の課題を解決するために、請求項１に記載の発明は、電源電力の供給が停止した以降でも当該停止時における表示情報の表示が維持される表示媒体を用いて当該表示情報を表示する表示部等の表示手段を備える情報表示装置において、複数の部分表示情報から構成されている前記表示情報であって、前記表示手段における表示が次に表示すべき他の前記部分表示情報に切り換えられるまで、又は当該表示が前記表示手段から消去されるまで、のいずれか一方の時間である表示維持時間が他の前記部分表示情報に対して短く設定された前記部分表示情報を含む前記表示情報を記憶するフラッシュＲＯＭ等の記憶手段と、前記記憶手段に記憶された前記表示情報を前記表示手段に表示させる際に、前記設定された表示維持時間に対応して、当該表示維持時間が短く設定された前記部分表示情報の当該表示維持時間が、前記他の部分表示情報の当該表示維持時間よりも短くなるように制御する表示制御を行うＣＰＵ等の制御手段と、を備える。
【０００９】
よって、表示情報を表示手段に表示させる際に、表示維持時間が他の部分表示情報に対して短く設定された部分表示情報の当該表示維持時間が、その設定に基づいて他の部分表示情報の表示維持時間よりも短くなるように制御するので、いわゆるメモリ性を備えた情報表示装置において表示情報を表示する場合でも各部分表示情報毎の実際の表示維持時間を制御することができる。
【００１０】
上記の課題を解決するために、請求項２に記載の発明は、請求項１に記載の情報表示装置において、各前記部分表示情報に夫々対応する前記表示維持時間が、予め設定された秘匿度が高いほど短く設定されているように構成される。
【００１１】
よって、各部分表示情報に夫々対応する表示維持時間が当該部分表示情報に対応して予め設定された秘匿度が高いほど短く設定されているので、いわゆるメモリ性を備えた情報表示装置において表示情報を表示する場合でも、各部分表示情報の秘匿性を維持することができる。
【００１２】
上記の課題を解決するために、請求項３に記載の発明は、請求項２に記載の情報表示装置において、前記制御手段は、前記表示制御において一の前記部分表示情報に対する当該表示制御を終了させるとき、当該一の部分表示情報よりも前記秘匿度が低い他の前記部分表示情報に前記表示手段における表示を切り換えて、当該一の部分表示情報の表示を終了させるように構成される。
【００１３】
よって、一の部分表示情報の表示を終了させるとき、当該一の部分表示情報よりも秘匿度が低い他の部分表示情報に切り換えて当該一の部分表示情報の表示を終了させるので、一の部分表示情報の秘匿性を維持しつつ他の部分表示情報の閲覧性を向上させることができる。
【００１４】
上記の課題を解決するために、請求項４に記載の発明は、請求項３に記載の情報表示装置において、前記制御手段は、前記表示情報を構成する各前記部分表示情報の表示順において前記一の部分表示情報の前又は後のいずれか一方に表示されるべき前記部分表示情報を前記他の部分表示情報として、前記一の部分表示情報の表示を終了させるように構成される。
【００１５】
よって、部分表示情報の表示順において一の部分表示情報の前又は後のいずれか一方に表示されるべき部分表示情報を他の部分表示情報として当該一の部分表示情報の表示を終了させるので、表示情報全体としての表示の連続性を維持しつつ、当該一の部分表示情報の秘匿性を担保できる。
【００１６】
上記の課題を解決するために、請求項５に記載の発明は、請求項１から４のいずれか一項に記載の情報表示装置において、当該情報表示装置における前記電源電力が予め設定された閾値未満となったか否かを検出する検出部等の検出手段を更に備え、前記制御手段は、前記検出手段により前記電源電力が前記閾値未満と検出されたタイミングから前記表示制御を開始するように構成される。
【００１７】
よって、情報表示装置における電源電力が閾値未満となったタイミングから表示維持時間に応じた表示制御を開始するので、例えば充電中等、電源電力が閾値以上であるときは通常の表示動作を行い、電源電力が閾値未満となった以降に当該表示制御を行うことで、部分表示情報毎の表示維持時間の制御を可能としつつそれらの閲覧性を維持することができる。
【００１８】
上記の課題を解決するために、請求項６に記載の発明は、請求項１から５のいずれか一項に記載の前記情報表示装置と、前記情報表示装置と接続された情報処理装置であって、外部から取得した前記表示情報を当該情報表示装置に伝送して前記表示制御に供させるインターフェース等の伝送手段を備える情報処理装置と、を備える。
【００１９】
よって、情報処理装置で取得して伝送された表示情報を情報表示装置の表示手段に表示させる際に、次に表示すべき部分表示情報に切り換えられるまでの表示維持時間が他の部分表示情報に対して短く設定された部分表示情報の当該表示維持時間が、その設定に基づいて他の部分表示情報の表示維持時間よりも短くなるように制御するので、いわゆるメモリ性を備えた情報表示装置において表示情報を表示する場合でも各部分表示情報毎の実際の表示維持時間を制御することができる。
【００２０】
上記の課題を解決するために、請求項７に記載の発明は、請求項２から５のいずれか一項に記載の前記情報表示装置と、前記情報表示装置と接続された情報処理装置であって、外部から取得した前記表示情報を構成する各前記部分表示情報毎に前記秘匿度を設定する操作部等の秘匿度設定手段と、前記設定された秘匿度を示す秘匿度情報を前記表示情報と共に前記情報表示装置に伝送するインターフェース等の伝送手段と、を備える情報処理装置と、を含む。
【００２１】
よって、情報処理装置において取得して部分表示情報毎に対応する秘匿度が設定されて伝送された表示情報を情報表示装置の表示手段に表示させる際に、各部分表示情報に夫々対応する表示維持時間が当該部分表示情報に対応して設定された秘匿度が高いほど短いので、いわゆるメモリ性を備えた情報表示装置において表示情報を表示する場合でも、各部分表示情報の秘匿性を維持することができる。
【００２２】
上記の課題を解決するために、請求項８に記載の発明は、請求項６又は７に記載の情報表示システムに含まれる前記情報処理装置であって、前記伝送手段を少なくとも備える。
【００２３】
よって、情報処理装置で取得して伝送された表示情報を情報表示装置の表示手段に表示させる際に、次に表示すべき部分表示情報に切り換えられるまでの表示維持時間が他の部分表示情報に対して短く設定された部分表示情報の当該表示維持時間が、その設定に基づいて他の部分表示情報の表示維持時間よりも短くなるように制御するので、いわゆるメモリ性を備えた情報表示装置において表示情報を表示する場合でも各部分表示情報毎の実際の表示維持時間を制御することができる。
【発明の効果】
【００２４】
本発明によれば、表示情報を表示手段に表示させる際に、次に表示すべき部分表示情報に切り換えられるまでの表示維持時間が他の部分表示情報に対して短く設定された部分表示情報の当該表示維持時間が、その設定に基づいて他の部分表示情報の表示維持時間よりも短くなるように制御するので、いわゆるメモリ性を備えた情報表示装置において表示情報を表示する場合でも各部分表示情報毎の実際の表示維持時間を制御することができる。
【００２５】
従って、部分表示情報毎に設定されている表示維持時間の長短に応じて当該部分表示情報毎の表示維持時間をきめ細かく制御することができる。
【図面の簡単な説明】
【００２６】
【図１】実施形態に係る情報表示システムの全体構成を示す図である。
【図２】実施形態に係る複合機等の細部構成を示すブロック図であり、（ａ）は実施形態に係る複合機の細部構成を示すブロック図であり、（ｂ）は実施形態に係る表示装置の細部構成を示すブロック図である。
【図３】実施形態に係る複合機における動作を示すフローチャートである。
【図４】実施形態に係る各データベース等の内容を例示する図であり、（ａ）は表示維持時間テーブルの内容を例示する図であり、（ｂ）は実施形態に係る秘匿度データベースの内容を例示する図である。
【図５】実施形態に係る表示装置における動作を示すフローチャートである。
【発明を実施するための形態】
【００２７】
次に、本発明を実施するための形態について、図１乃至図４を用いて説明する。なお、以下に説明する実施形態は、例えばファクシミリ送受信機としての機能、電話機としての機能、スキャナとしての機能及びプリンタとしての機能等を併せ持つ情報処理装置の一例としての複合機と、当該複合機に接続され且つその複合機から送信されて来た表示データを蓄積して例えば電気泳動方式を用いて表示する携帯型の表示装置と、を備える情報表示システムに対して本発明を適用した場合の実施形態等である。
【００２８】
（Ｉ）全体構成及び概要動作
先ず、実施形態に係る情報処理システム全体の構成及び概要動作について、図１を用いて説明する。なお図１は当該全体構成を示す図であり、当該全体構成に含まれる複合機の外観図及び表示装置の正面図が含まれている。また、図１では、説明の都合上、複合機の外観図と表示装置の正面図とが異なる縮尺で示されている。
【００２９】
図１に示すように、実施形態に係る情報表示システムＳは、上記複合機Ｆと、上記表示装置Ｄと、により構成されており、両者は、例えばＵＳＢ（Universal Serial Bus）規格やＬＡＮ（Local Area Network）規格に準拠したネットワークＮＴを介して相互に接続されている。なお、複合機Ｆと表示装置Ｄとの間のデータの授受は、後述するメモリカードを用いて行ってもよい。
【００３０】
この構成において、複合機Ｆにおいて取得された表示対象たる文書等の情報は、当該複合機Ｆ自体が備える後述の表示部において表示される他、後述する如くネットワークＮＴを介して表示装置Ｄに出力され、当該表示装置Ｄ上において表示される。なお以下の説明において、当該文書等の情報を単に「コンテンツ」と称する。また、複合機Ｆにおける当該コンテンツの取得元としては、例えば、ファクシミリ受信したもの、印刷対象として図示しないコンピュータ等から複合機Ｆに送信されたもの、或いは複合機Ｆが有するスキャナ機能により電子的に読み取ったもの等が挙げられる。
【００３１】
次に、実施形態に係る複合機Ｆの細部について、図２（ａ）を用いて説明する。
【００３２】
実施形態に係る複合機Ｆは、図２（ａ）に示すように、当該複合機Ｆ全体を統括制御し、且つ後述する実施形態に係る複合機Ｆとしての動作を具体的に行うＣＰＵ（Central Processing Unit）１０と、例えば液晶表示パネル等により構成され、複合機Ｆとしての動作に必要な情報及び上記コンテンツ等を表示する表示部１１と、ＣＰＵ１０の制御処理に必要なデータを一時的に記憶するＲＡＭ（Random Access Memory）１２と、メモリカードドライブ等により構成されＣＰＵ１０からの指示に基づきメモリカードドライブに挿入されたメモリカードＭＣに対してデータの書き込み及び読み出しを行うメモリカードＩ／Ｆ（インターフェース）１３と、実施形態に係る複合機Ｆとしての動作を実行するための各種制御プログラムやユーザ設定等のデータ或いは種々のファームウエア等を記憶するＲＯＭ（Read Only Memory）１４と、複合機Ｆと表示装置ＤとをネットワークＮＴにより接続してコンテンツ等のデータを送受信するためのインターフェース処理を行う通信Ｉ／Ｆ１５と、図示しないボタンやセンサー等から構成され、ユーザからの指示を指示情報としてＣＰＵ１０に供給する操作部１６と、紙等に印字された対象物を光学的に読み取って当該対象物に相当する画像としてのコンテンツを出力する読取部（スキャナ）１８と、ＣＰＵ１０からの指示に基づき表示部１１による表示を制御する表示コントローラ１９と、上記コンテンツ等を印刷対象物として印刷出力する印刷部２０と、を備えている。そして、表示部１１、ＲＡＭ１２、メモリカードＩ／Ｆ１３、ＲＯＭ１４、通信Ｉ／Ｆ１５、操作部１６、読取部１８、表示コントローラ１９及び印刷部２０と、ＣＰＵ１０と、は、バス１７を介して相互に接続されている。
【００３３】
なお、複合機Ｆは、上述した機能の他に、表示装置Ｄ上において表示させるべきコンテンツとしての種々の形式を、当該表示用の形式に変換し、これをメモリカードＭＣ内に記録し、又は表示装置ＤにネットワークＮＴを介して送信する機能を備えている。
【００３４】
次に、実施形態に係る表示装置Ｄについて、図１に示された表示装置Ｄの正面図及び図２（ｂ）を用いて説明する。なお、図２（ｂ）は当該表示装置Ｄの細部構成を示すブロック図である。
【００３５】
図１及び図２（ｂ）に示すように、実施形態に係る表示装置Ｄは、表示装置Ｄ全体を統括制御し、且つ後述する実施形態に係る表示装置Ｄとしての動作を具体的に行うＣＰＵ１０１と、ファームウエア等を記憶するＲＯＭ１０２と、実施形態に係る表示装置Ｄとしての動作を実行するための各種制御プログラムやユーザ設定等のデータ或いは後述する表示部１０６において表示される文書等の上記コンテンツを不揮発性に記憶するフラッシュＲＯＭ１０３と、ＣＰＵ１０１の制御処理に必要なデータを一時的に記憶するＲＡＭ１０４と、後述するカーソルキー、決定キー及び電源スイッチから構成され、ユーザからの指示を指示情報としてＣＰＵ１０１に供給する操作キー１０５と、例えば電気泳動方式の表示パネル等のメモリ性を有する（すなわち、表示状態の維持に電源電力を必要としない）表示部材により構成され、複合機Ｆから送信されて来たコンテンツを表示する表示部１０６と、ＣＰＵ１０１からの指示に基づき表示部１０６による表示を制御する表示コントローラ１０７と、を備えている。
【００３６】
この構成において、フラッシュＲＯＭ１０３には、実施形態に係るコンテンツの内容に応じた秘匿度と、表示部１６における表示維持時間と、の関係を示す表示維持時間テーブル１０３Ａが図２（ｂ）に示すように記憶されている。なお、当該表示維持テーブル１０３Ａの具体的な内容としては、図４（ａ）に例示されるものがある。
【００３７】
このとき、当該秘匿度とは、後述するように実施形態に係るコンテンツのページ単位に設けることが可能な、当該対応するページに係る内容の秘匿の必要性の度合いを示すものである。また表示維持時間とは、後述するバッテリー１０８から表示装置Ｄに対して供給されている電源電力の電圧が予め設定されている低下閾値未満となった（すなわち表示装置Ｄに対する充電が必要となった）タイミングにおいて表示部１０６に表示中のコンテンツを強制的に当該表示部１０６上から消去するまでの、当該低下閾値未満となったタイミングからの表示維持時間である。実施形態に係る表示装置Ｄでは、図２（ｂ）に例示するようにこの表示維持時間が上記秘匿度に応じて予め設定されてフラッシュＲＯＭ１０３に表示維持時間テーブル１０３Ａとして記憶されているのであり、図４（ａ）に例示するように、通常は当該秘匿度が高いほど（すなわち、秘匿度を表す数字が大きいほど）当該表示維持時間が短く設定されている。なお具体的な表示維持時間については、経験上又は実験上定めることができる。更に、以下の説明において、秘匿度「０」は、秘匿度が設定されてないことを意味する。
【００３８】
一方、操作キー１０５として具体的には、表示部１０６に表示されているコンテンツを例えば垂直上方向又は垂直下方向に移動（スクロール）させる際に操作される上キー１０５ｅ及び下キー１０５ｃと、当該コンテンツを前ページ又は次ページにページ毎に移動させる際に操作される前キー１０５ｄ及び次キー１０５ｂと、各種操作の結果を決定させる際に操作される上記決定キー１０５ａと、上記電源スイッチ１０５ｆと、により構成されている。そして上記上キー１０５ｅ、下キー１０５ｃ、前キー１０５ｄ及び次キー１０５ｂにより上記カーソルキーが構成されている。
【００３９】
これらの構成に加えて表示装置Ｄは、例えばリチウムイオン電池等から構成される上記バッテリー１０８と、バッテリー１０８に対する充電を制御する充電コントローラ１０９と、メモリカードドライブ等により構成されＣＰＵ１０１からの指示に基づきメモリカードドライブに挿入された上記メモリカードＭＣに対してデータの書き込み及び読み出しを行うメモリカードＩ／Ｆ１１０と、表示装置Ｄと複合機ＦとをネットワークＮＴにより接続してデータを送受信するためのインターフェース処理を行う通信Ｉ／Ｆ１１１と、を備えている。そして、ＲＯＭ１０２、フラッシュＲＯＭ１０３、ＲＡＭ１０４、操作キー１０５、表示コントローラ１０７、充電コントローラ１０９、メモリカードＩ／Ｆ１１０及び通信Ｉ／Ｆ１１１と、ＣＰＵ１０１と、は、バス１１２を介して相互に接続されている。
【００４０】
（II）情報表示システムの動作
次に、実施形態に係る情報表示システムＳに含まれる複合機Ｆ及び表示装置Ｄ夫々における動作について、図３乃至図５を用いて説明する。なお図３は実施形態に係る複合機Ｆにおける動作を示すフローチャートであり、図４は実施形態に係る各データベース等の内容を例示する図であり、図５は実施形態に係る表示装置Ｄにおける動作を示すフローチャートである。また、図４（ａ）は上記表示維持時間テーブル１０３Ａの内容を例示する図であり、図４（ｂ）は実施形態に係る秘匿度データベース２００の内容を例示する図である。
【００４１】
（Ａ）複合機の動作
先ず、実施形態に係る複合機Ｆにおける動作について、図３及び図４を用いて説明する。
【００４２】
図３に示すように、実施形態に係る複合機Ｆでは、図示しない電源スイッチが操作されると（ステップＳ１）、複合機ＦのＣＰＵ１０は、表示装置ＤのＣＰＵ１０１との間で相互に通信Ｉ／Ｆ１５及び１１１を介して接続情報を授受することにより、当該表示装置Ｄが複合機Ｆに接続されていることを確認する（ステップＳ２）。
【００４３】
次にＣＰＵ１０は、例えば通信Ｉ／Ｆ１５又は読取部１８を介して表示装置Ｄにおいて表示すべき表示データを取得したら、当該取得した表示データをＲＡＭ１２内に一時的に記憶させ、更に当該表示データを表示装置Ｄの表示部１０６において表示すべき旨の操作が操作部１６において実行されたか否かを確認する（ステップＳ３）。そして、当該操作が実行されていないとき（ステップＳ３；ＮＯ）、ＣＰＵ１０は、他の動作を実行した後（ステップＳ４）上記ステップＳ２の動作に戻る。ここで、当該他の動作には、例えば、複合機Ｆとしての印刷動作、ファクシミリの送信動作又は紙等に印刷された情報の読み取り動作等がある。
【００４４】
一方当該操作が実行されたとき（ステップＳ３；ＹＥＳ）、ＣＰＵ１０は次に、当該表示装置Ｄへの送信対象となっている表示データに対して秘匿度を設定する旨の操作が操作部１６において実行されたか否かを確認する（ステップＳ５）。
【００４５】
ステップＳ５の確認において秘匿度を設定しない旨の操作であった場合（ステップＳ５；ＮＯ）、ＣＰＵ１０は、当該表示データについての秘匿度を設定することなく、当該表示データに秘匿度の値を全て「０」とした秘匿度テーブル２００を付加して通信Ｉ／Ｆ１５を介して表示装置Ｄに送信し（ステップＳ１３）、その後複合機Ｆの上記電源スイッチがオフとされたか否かを確認する（ステップＳ１４）。その後ＣＰＵ１０は、当該電源スイッチをオフとする旨の操作が為されている場合は（ステップＳ１４；ＹＥＳ）そのまま複合機Ｆとしての実施形態に係る動作を終了し、当該操作が為されていない場合は（ステップＳ１４；ＮＯ）上記ステップＳ２の動作に戻る。
【００４６】
一方、ステップＳ５の確認においてページ単位の秘匿度を設定する旨の操作が操作部１６において為された場合（ステップＳ５；ＹＥＳ）、ＣＰＵ１０は、当該秘匿度設定の対象となったコンテンツ自体に先ずデータＩＤを付与し、更に当該コンテンツとしての総ページ数を取得する（ステップＳ６）。なお以下の説明においては、総ページ数を示すパラメータを「ｎ」とする。
【００４７】
ここで、上述したように、実施形態に係る秘匿度は、コンテンツを構成するページ毎に設定が可能であり、後述するステップＳ７乃至Ｓ１２の動作により設定された秘匿度は、例えば図４（ｂ）に例示する秘匿度テーブル２００として、例えばＲＡＭ１２の書き換え可能領域に一時的に記憶される。このとき、当該秘匿度テーブルとしては、各コンテンツを示すデータＩＤ及び一のコンテンツ内のページを示すページＩＤ毎に、異なる秘匿度を設定／記憶することが可能である。図４（ｂ）に例示する場合には、データＩＤが「１」であるコンテンツについては、総ページ数は「６」であり、各ページについて設定された秘匿度は、第１ページから第６ページまで順に「３」、「０」、「２」、「１」、「３」及び「１」であることになる。この場合、第１ページと第５ページの秘匿度が、データＩＤが「１」であるコンテンツ内では最も高いこととなる。また、データＩＤが「２」であるコンテンツについては、総ページ数は「２」であるが秘匿度は設定されてない（ステップＳ５；ＮＯ参照）。更に、データＩＤが「３」であるコンテンツについては、総ページ数は「９」であり、各ページについて設定された秘匿度は、第１ページから第９ページまで順に「２」、「１」、「３」、「０」、「３」、「０」、「２」、「１」及び「３」であることになる。そして、第３ページ、第５ページ及び第９ページの秘匿度が、データＩＤが「３」であるコンテンツ内では最も高いこととなる。
【００４８】
上記ステップＳ６の動作によりデータＩＤの付与及び総ページ数の取得が完了すると、次にＣＰＵ１０は、秘匿度を付与するページを示すパラメータｉを初期化する（ステップＳ７）。その後ＣＰＵ１０は、現在のページに対する秘匿度を示す値（図４（ａ）に例示する場合は「１」から「５」のいずれか）の入力が操作部１６において為されるのを待機する（ステップＳ８、Ｓ９；ＮＯ）。そして、そのページに対応する秘匿度を示す値が操作部１６において入力されると（ステップＳ９；ＹＥＳ）、ＣＰＵ１０は次に、その入力された値をそのページに関連付けて仮にＲＡＭ１２に記憶させ（図４（ｂ）参照）、更に次のページについての秘匿度を設定すべくパラメータｉを「１」だけインクリメントする（ステップＳ１０）。
【００４９】
その後ＣＰＵ１０は、現在のパラメータｉの値がパラメータｎの現在の値と一致したか否か、即ちその時に秘匿度付与の対象となっているコンテンツの全てのページについての当該秘匿度設定動作が終了したか否かを確認する（ステップＳ１１）。これにより、未だ秘匿度設定動作が完了していないページがあるとき（ステップＳ１１；ＮＯ）、ＣＰＵ１０は上記ステップＳ８に戻って当該秘匿度未設定のページに対する秘匿度を示す値の入力を待機する。
【００５０】
一方ステップＳ１１の確認において秘匿度を設定すべき全てのページについて当該秘匿度設定動作が完了しているとき（ステップＳ１１；ＹＥＳ）、ＣＰＵ１０は当該秘匿度設定が全て完了したコンテンツを、図４（ｂ）に例示する秘匿度テーブル２００と共にＲＡＭ１２内又はＲＯＭ１４内の書き換え可能領域に一時的に記憶した後（ステップＳ１２。図４（ｂ）参照）、上記ステップＳ１３及びＳ１４の動作に移行する。このときの上記ステップＳ１３の動作としては、コンテンツ自体に相当する表示データに加えて、当該表示データに対応する秘匿度がページ毎に設定された秘匿度テーブル２００が表示装置Ｄに送信されることとなる。
【００５１】
（Ｂ）表示装置の動作
次に、実施形態に係る表示装置Ｄにおける動作について、図５を用いて説明する。
【００５２】
図５に示すように、実施形態に係る表示装置Ｄでは、上記電源スイッチ１０５ｆが操作されると（ステップＳ２０）、表示装置ＤのＣＰＵ１０１は、複合機ＦのＣＰＵ１０との間で相互に通信Ｉ／Ｆ１１１及び１５を介して接続情報を授受することにより、当該表示装置Ｄが複合機Ｆに接続されていることを確認する（ステップＳ２１。図３ステップＳ１参照）。
【００５３】
次にＣＰＵ１０１は、表示装置Ｄとしての通常の動作として、複合機Ｆから出力されて来た（図３ステップＳ１３参照）表示データを受信し、それを表示部１０６において表示するように表示コントローラ１０７を制御する（ステップＳ２２）。
【００５４】
ここで、ステップＳ２２の動作においては、複合機Ｆにおいて秘匿度が付与されているコンテンツについては、当該コンテンツ自体に相当する表示データと共に図４（ｂ）に例示する秘匿度テーブル２００を受信することとなる。このとき、複合機Ｆにおいて秘匿度が付与されなかったコンテンツについては、当該コンテンツ自体に相当する表示データに付加されている秘匿度テーブル２００の内容としては、秘匿度が全て「０」であることになる。
【００５５】
次に、当該受信したコンテンツの表示中においては、バッテリー１０８から供給される電源電圧が、予め設定されている上記低下閾値未満となったか否かを常時監視する（ステップＳ２３）。そして、当該低下閾値未満となっていない場合には（ステップＳ２３；ＮＯ）、再度監視状態に戻る。
【００５６】
なおこの低下閾値は、本発明には特に無関係に、例えば表示機能を維持するために必要な最低電圧として予め決めてフラッシュＲＯＭ１０３等にその値を記憶させておいてもよいし、或いは他の要因を勘案して別途設定して記憶させておいてもよい。勿論、本発明に係る秘匿度の観点から、上記表示機能の維持のために必要な最低電圧よりも高い電圧を低下閾値として設定／記憶しておいてもよい。
【００５７】
ステップＳ２３の確認において、電源電圧が上記低下閾値未満となった場合（ステップＳ２３；ＹＥＳ）、ＣＰＵ１０１は、表示装置Ｄに対して充電が必要となったとして、その旨を例えば表示部１０６上に表示する等して使用者に告知すると共に、その時点で表示部１０６に表示していたコンテンツのページＩＤを取得し（ステップＳ２４）、更にそのページＩＤにより示されるページに対応する秘匿度を確認する（ステップＳ２５、Ｓ２６）。
【００５８】
ステップＳ２６の確認において現在表示中のページについての秘匿度が「０」であった場合（ステップＳ２６；ＮＯ）、当該表示中のページについては秘匿度が設定されていないため、表示維持のための電源電力が供給されなくなった以降でもそのまま表示を維持しておいてよいことになる。この場合ＣＰＵ１０１は、表示装置Ｄとしての低消費電力の特長を活かすべく、そのまま表示を維持し、その後充電がされたか否かを確認のため上記ステップＳ２２の動作に戻る。
【００５９】
一方、ステップＳ２６の確認において、現在表示中のページについての秘匿度が「１」以上であった場合（ステップＳ２６；ＹＥＳ）、ＣＰＵ１０１は次に、図４（ａ）に例示する内容を有する表示維持時間テーブル１０３ＡをフラッシュＲＯＭ１０３内において参照し、そのページについての表示維持時間ｔを、例えば図示しないＣＰＵ１０１内のメモリに設定する（ステップＳ２７）。
【００６０】
その後ＣＰＵ１０１は、表示部１０６における現在のページの表示を維持しつつ、例えば図示しないタイマ等を用いて上記ステップＳ２３の確認が「ＹＥＳ」とされたタイミング以降の経過時間を計時し、それが上記表示維持時間ｔに到達したか否かを監視する（ステップＳ２８）。そして、当該表示維持時間ｔに到達していない場合には（ステップＳ２８；ＮＯ）、再度監視状態に戻る。
【００６１】
これにより、当該経過時間が表示維持時間ｔを超えたタイミングにおいて（ステップＳ２８；ＹＥＳ）、現在表示部１０６において実行されているページの表示を強制的に消去する（ステップＳ２９）。その後ＣＰＵ１０１は、電源スイッチ１０５ｆをオフとする旨の操作が為されていか否かを確認し（ステップＳ３０）、当該操作が為されている場合は（ステップＳ３０；ＹＥＳ）そのまま表示装置Ｄとしての実施形態に係る動作を終了し、当該操作が為されていない場合は（ステップＳ３０；ＮＯ）上記ステップＳ２３の動作に戻る。
【００６２】
なお、上記ステップＳ２９に係る消去動作としては、本発明では表示部１０６における表示が為されなくなれば済むため、例えば、表示コントローラ１０７内の図示しないビデオＲＡＭ内から当該表示データを消去するのみで事足りることになる。この場合、フラッシュＲＯＭ１０３内からその表示データを消去することまでは不要である。
【００６３】
以上説明したように、実施形態に係る情報表示システムＳの動作によれば、コンテンツを表示部１０６に表示させる際に、表示維持時間が他のページに対して短く設定されたページの当該表示維持時間が、その設定に基づいて他のページの表示維持時間よりも短くなるように制御するので、いわゆるメモリ性を備えた表示装置Ｄにおいてコンテンツを表示する場合でも各ページ毎の実際の表示維持時間を制御することができる。
【００６４】
従って、ページ毎に設定されている表示維持時間の長短に応じて当該ページ毎の表示維持時間をきめ細かく制御することができる。
【００６５】
また、各ページに夫々対応する表示維持時間が当該ページに対応して予め設定された秘匿度が高いほど短く設定されているので、いわゆるメモリ性を備えた表示装置Ｄにおいてコンテンツを表示する場合でも、各ページの秘匿性を維持することができる。
【００６６】
更に、表示装置Ｄにおける電源電力が低下閾値未満となったタイミングから表示維持時間に応じた表示制御を開始するので、例えば充電中等、電源電力が低下閾値以上であるときは通常の表示動作を行い、電源電力が低下閾値未満となった以降に当該表示制御を行うことで、ページ毎の表示維持時間の制御を可能としつつそれらの閲覧性を維持することができる。
【００６７】
なお、上述した実施形態では、秘匿度が「１」以上とされているページ（以下、単に秘匿ページと称する）の表示について、表示維持時間経過後に消去する構成としたが、これ以外に、当該表示維持時間経過後に、当該秘匿ページの表示を秘匿度が設定されていない（又は、当該秘匿ページよりも秘匿度が低い）他のページの表示に切り換えるようにしてもよい。またこの場合、当該秘匿ページの前又は後のページを表示するようにすれば、秘匿ページとの表示の連続性を維持しつつ、且つ他のページの表示を継続することでコンテンツとしての閲覧性を維持しつつ、当該秘匿ページの秘匿性を保つことができることとなる。
【００６８】
また、上述した実施形態においては、複合機Ｆと表示装置Ｄとを含む情報表示システムＳに対して本発明を適用した場合について説明したが、これ以外に本発明は、表示対象たる情報を取得する情報処理装置と、当該取得された情報を表示する表示装置と、を含む情報表示システムに対して広く適用することも可能である。
【００６９】
更に、上記図３及び図５を用いて夫々説明したフローチャートに対応するプログラムをフレキシブルディスク等の記録媒体に記録しておき、又はインターネット等のネットワークを介して取得して記録しておき、これらをマイクロコンピュータ等のコンピュータで読み出して実行することにより、当該マイクロコンピュータ等を実施形態及び変形形態に係るＣＰＵ１０又はＣＰＵ１０１として機能させることも可能である。
【産業上の利用可能性】
【００７０】
以上夫々説明したように、本発明は情報表示システムの分野に利用することが可能であり、秘匿性を維持する必要のあるコンテンツを表示する情報表示システムの分野に適用すれば特に顕著な効果が得られる。
【符号の説明】
【００７１】
１０、１０１    ＣＰＵ
１１、１０６    表示部
１２、１０４    ＲＡＭ
１３、１１０    メモリカードＩ／Ｆ
１４、１０２    ＲＯＭ
１５、１１１    通信Ｉ／Ｆ
１６    操作部
１７、１１２    バス
１０３    フラッシュＲＯＭ
１０３Ａ    表示維持時間テーブル
１０５    操作キー
１０７    表示コントローラ
１０５ａ    決定キー
１０５ｂ    次キー
１０５ｃ    下キー
１０５ｄ    前キー
１０５ｅ    上キー
１０５ｆ    電源スイッチ
１０８    バッテリー
１０９    充電コントローラ
２００    秘匿度テーブル
Ｓ    情報表示システム
Ｆ    複合機
Ｄ    表示装置
ＮＴ    ネットワーク
ＭＣ    メモリカード
【図１】
2010237618.tif 000003
【図２】
2010237618.tif 000004
【図３】
2010237618.tif 000005
【図４】
2010237618.tif 000006
【図５】
2010237618.tif 000007